(57)【要約】【課題】成膜レートを向上することができるスパッタリング装置を提供する。【解決手段】スパッタリング装置はチャンバーと保持部と回転カソードと回転駆動部とスパッターガス供給部と反応性ガス供給部とを含む。保持部はチャンバー内において成膜対象物を保持する。回転カソードは、チャンバー内において成膜対象物と対向する位置に設けられており、筒状のターゲットを含む。回転駆動部は回転カソードを回転させる。スパッターガス供給部はチャンバー内にスパッターガスを供給する。反応性ガス供給部はチャンバー内に反応性ガスを供給する。電圧印加部は、成膜対象物の成膜レートが反応性ガスの濃度に対して正の相関関係を有するときの電圧を、スパッター電圧として回転カソードに印加する。【選択図】図３
2020180339.tif 000002
【特許請求の範囲】
【請求項１】
成膜対象物に成膜処理を行うスパッタリング装置であって、
チャンバーと、
前記チャンバー内において前記成膜対象物を保持する保持部と、
前記チャンバー内において前記成膜対象物と対向する位置に設けられており、筒状のターゲットを含む回転カソードと、
前記回転カソードを回転させる回転駆動部と、
前記チャンバー内にスパッターガスを供給するスパッターガス供給部と、
前記チャンバー内に反応性ガスを供給する反応性ガス供給部と、
前記成膜対象物の成膜レートが前記反応性ガスの濃度に対して正の相関関係を有するときの電圧を、スパッター電圧として前記回転カソードに印加する電圧印加部と
を備える、スパッタリング装置。
【請求項２】
請求項１に記載のスパッタリング装置であって、
前記ターゲットの材料は、前記ターゲットの材料と前記反応性ガスとの反応により生成される化合物に対してスパッタリングを行ったときに前記化合物から放出される２次電子の放出率が、前記ターゲットに対してスパッタリングを行ったときに前記ターゲットから放出される２次電子の放出率よりも高い材料である、スパッタリング装置。
【請求項３】
請求項１または請求項２に記載のスパッタリング装置であって、
前記電圧印加部は電圧制御により前記スパッター電圧を制御する、スパッタリング装置。
【請求項４】
請求項１から請求項３のいずれか一つに記載のスパッタリング装置であって、
前記成膜対象物側に開口し、前記回転カソードを囲む仕切部材をさらに備え、
前記反応性ガス供給部は、前記チャンバー内に前記反応性ガスを吐出するノズルを含み、
前記ノズルは前記仕切部材の内部に設けられている、スパッタリング装置。
【請求項５】
請求項１から請求項３のいずれか一つに記載のスパッタリング装置であって、
前記反応性ガス供給部は、前記チャンバー内に前記反応性ガスを吐出するノズルを含み、
前記ノズルは前記成膜対象物よりも前記回転カソードに近い位置に設けられている、スパッタリング装置。
【請求項６】
請求項１から請求項５のいずれか一つに記載のスパッタリング装置であって、
前記チャンバー内のプラズマ発光分光をモニタするセンサをさらに備え、
前記反応性ガス供給部は、前記センサによってモニタされるプラズマ発光分光に基づいて前記反応性ガスの流量を調整する、スパッタリング装置。
【請求項７】
成膜対象物に成膜処理を行うスパッタリング方法であって、
チャンバー内にスパッターガスを供給する工程と、
前記チャンバー内に反応性ガスを供給する工程と、
前記チャンバー内に設けられた筒状のターゲットを含む回転カソードを回転させる工程と、
前記成膜対象物の成膜レートが前記反応性ガスの濃度に対して正の相関関係を有するときの電圧を、スパッター電圧として前記回転カソードに印加する工程と
を備える、スパッタリング方法。
【発明の詳細な説明】
【技術分野】
【０００１】
本願は、スパッタリング装置およびスパッタリング方法に関する。
【背景技術】
【０００２】
特許文献１には、反応性スパッタリング装置が開示されている。このスパッタリング装置は反応性スパッタリングにより、成膜対象物に薄膜を形成する。具体的には、スパッタリング装置は、真空チャンバー内に、スパッター蒸発源（カソード）と、ガス導入機構とを含んでいる。スパッター蒸発源は平板型マグネトロンによって構成され、金属ターゲットが設けられる。ガス導入機構はスパッター用の不活性ガス、および、酸素などの反応性ガスを真空チャンバー内に導入する。
【０００３】
スパッター蒸発源には、スパッター電圧が印加される。これにより、不活性ガスがプラズマ化し、そのプラズマが金属ターゲットに作用して金属粒子が飛び出す。金属粒子は反応性ガスと反応しつつ、成膜対象物の上に堆積される。これにより、成膜対象物に金属化合物の薄膜を形成することができる。
【０００４】
この反応性スパッタリングにおいて、反応性ガスの導入量が小さい場合、成膜速度（以下、成膜レートと呼ぶ）は高いものの、金属が過剰な薄膜が成膜対象物に形成される。よって、反応性ガスの導入量が小さいモードは、メタルモードと呼ばれる。一方で、反応性ガスの導入量が大きい場合、金属ターゲットの表面に金属化合物が形成されるので、ターゲットから飛び出す金属粒子の量が低下する。これにより、成膜レートはメタルモードに比べて著しく低下する。よって、反応性ガスの導入量が大きいモードは、ポイズニングモードと呼ばれる。
【０００５】
メタルモードとポイズニングモードとの間の遷移モードにおいては、比較的に高い成膜レートで金属化合物の薄膜を成膜対象物に形成することができる。そこで、特許文献１のスパッタリング装置は、真空チャンバー内のプラズマ発光の分光スペクトルを測定し、その分光スペクトルによって把握される反応性ガスの分圧が目標値となるように、スパッター電圧を制御する。これにより、スパッタリング装置１は遷移モードにおいて反応性スパッタリングを行っている。
【先行技術文献】
【特許文献】
【０００６】
【特許文献１】特開２００３−３４２７２５号公報
【発明の概要】
【発明が解決しようとする課題】
【０００７】
しかしながら、特許文献１では、遷移モードにおいて反応性スパッタリングを行うことに拘泥している。そのため、成膜レートの向上に限界があった。
【０００８】
そこで、本願は、成膜レートをさらに向上することができるスパッタリング装置およびスパッタリング方法を提供することを目的とする。
【課題を解決するための手段】
【０００９】
スパッタリング装置の第１の態様は、成膜対象物に成膜処理を行うスパッタリング装置であって、チャンバーと、前記チャンバー内において前記成膜対象物を保持する保持部と、前記チャンバー内において前記成膜対象物と対向する位置に設けられており、筒状のターゲットを含む回転カソードと、前記回転カソードを回転させる回転駆動部と、前記チャンバー内にスパッターガスを供給するスパッターガス供給部と、前記チャンバー内に反応性ガスを供給する反応性ガス供給部と、前記成膜対象物の成膜レートが前記反応性ガスの濃度に対して正の相関関係を有するときの電圧を、スパッター電圧として前記回転カソードに印加する電圧印加部とを備える。
【００１０】
スパッタリング装置の第２の態様は、第１の態様にかかるスパッタリング装置であって、前記ターゲットの材料は、前記ターゲットの材料と前記反応性ガスとの反応により生成される化合物に対してスパッタリングを行ったときに前記化合物から放出される２次電子の放出率が、前記ターゲットに対してスパッタリングを行ったときに前記ターゲットから放出される２次電子の放出率よりも高い材料である。
【００１１】
スパッタリング装置の第３の態様は、第１または第２の態様にかかるスパッタリング装置であって、前記電圧印加部は電圧制御により前記スパッター電圧を制御する。
【００１２】
スパッタリング装置の第４の態様は、第１から第３のいずれか一つの態様にかかるスパッタリング装置であって、前記成膜対象物側に開口し、前記回転カソードを囲む仕切部材をさらに備え、前記反応性ガス供給部は、前記チャンバー内に前記反応性ガスを吐出するノズルを含み、前記ノズルは前記仕切部材の内部に設けられている。
【００１３】
スパッタリング装置の第５の態様は、第１から第３のいずれか一つの態様にかかるスパッタリング装置であって、前記反応性ガス供給部は、前記チャンバー内に前記反応性ガスを吐出するノズルを含み、前記ノズルは前記成膜対象物よりも前記回転カソードに近い位置に設けられている。
【００１４】
スパッタリング装置の第６の態様は、第１から第５のいずれか一つの態様にかかるスパッタリング装置であって、前記チャンバー内のプラズマ発光分光をモニタするセンサをさらに備え、前記反応性ガス供給部は、前記センサによってモニタされるプラズマ発光分光に基づいて前記反応性ガスの流量を調整する。
【００１５】
スパッタリング方法の態様は、成膜対象物に成膜処理を行うスパッタリング方法であって、チャンバー内にスパッターガスを供給する工程と、前記チャンバー内に反応性ガスを供給する工程と、前記チャンバー内に設けられた筒状のターゲットを含む回転カソードを回転させる工程と、前記成膜対象物の成膜レートが前記反応性ガスの濃度に対して正の相関関係を有するときの電圧を、スパッター電圧として前記回転カソードに印加する工程とを備える。
【発明の効果】
【００１６】
スパッタリング装置の第１および第２の態様ならびにスパッタリング方法の態様によれば、成膜レートを向上できる。
【００１７】
スパッタリング装置の第３の態様によれば、安定して高い成膜レートで成膜処理を行うことができる。
【００１８】
スパッタリング装置の第４および第５の態様によれば、ターゲットに近い位置から反応性ガスを吐出できるので、効率的に成膜レートを向上できる。
【００１９】
スパッタリング装置の第６の態様によれば、反応性ガスの濃度を制御することができる。
【図面の簡単な説明】
【００２０】
【図１】スパッタリング装置の構成の一例を概略的に示す図である。
【図２】プラズマ処理部の周辺の一例を概略的に示す図である。
【図３】成膜レートと反応性ガスの割合との関係の一例を示すグラフである。
【図４】成膜レートと反応性ガスの割合との関係の一例を示すグラフである。
【図５】スパッタリング装置の構成の一例を概略的に示す図である。
【図６】基材、回転カソードおよび反応性ガスの吐出位置の位置関係の一例を概略的に示す図である。
【図７】スパッタリング装置の構成の一例を概略的に示す図である。
【発明を実施するための形態】
【００２１】
以下、図面を参照しながら、実施形態について説明する。図面では同様な構成および機能を有する部分に同じ符号が付され、下記説明では重複説明が省略される。なお、以下の実施形態は一例であり、技術的範囲を限定する事例ではない。また、図面においては、理解容易のため、各部の寸法および数が誇張または簡略化して図示されている場合がある。また、各図面には、方向を説明するためにＸＹＺ直交座標軸が適宜に付されている。該座標軸におけるＺ方向は鉛直方向を示し、ＸＹ平面は水平面である。以下では、Ｘ方向の一方側を＋Ｘ側と呼び、その反対側を−Ｘ側と呼ぶことがある。Ｙ軸およびＺ軸についても同様であり、＋Ｚ側は鉛直上側を示す。
【００２２】
＜スパッタリング装置１の全体構成＞
図１は、スパッタリング装置１の構成の一例を概略的に示す図である。スパッタリング装置１は、反応性スパッタリングによって成膜対象物（ここでは、例えば基材９１）の成膜対象面に薄膜を形成する成膜装置である。基材９１は例えばシリコンウェハである。
【００２３】
スパッタリング装置１は、チャンバー１００（真空チャンバー）と、保持搬送機構１０（保持部）と、プラズマ処理部２０と、ガス供給部５００と、制御部２００とを含む。
【００２４】
チャンバー１００は、例えば直方体形状の外形を有する中空部材である。チャンバー１００はその底板の上面が水平姿勢となるように配置されている。なお、Ｘ軸およびＹ軸の各々は、チャンバー１００の側壁と平行な軸である。
【００２５】
保持搬送機構１０はチャンバー１００内に設けられており、基材９１を保持し、基材９１を搬送経路Ｌに沿って搬送する。ここでは、搬送経路Ｌの延在方向は水平方向（図１ではＸ方向）である。
【００２６】
ガス供給部５００は処理空間Ｖ（後述）内にスパッターガスおよび反応性ガスを供給する。スパッターガスとしては、例えばアルゴンガスまたはキセノンガスなどの不活性ガスを採用できる。反応性ガスとしては、基材９１に形成する薄膜の種類に応じたガスを採用できる。より具体的には、例えば酸素ガス、窒素ガス、水蒸気、フッ素ガス、アンモニアガスおよび炭素系ガス（例えばメタンガス）の少なくともいずれか１つ採用することができる。
【００２７】
プラズマ処理部２０は処理空間Ｖ内において、搬送経路Ｌと対向する位置に設けられている。図１の例では、プラズマ処理部２０は搬送経路Ｌよりも−Ｚ側に設けられている。プラズマ処理部２０はターゲット３２（図２も参照）を有している。プラズマ処理部２０は、後に詳述するように、プラズマを生じさせてターゲット３２に対してスパッタリングを行う。スパッタリングによってターゲット３２から飛び出したターゲット粒子は反応性ガスと反応しつつ基材９１の成膜対象面に堆積して、薄膜を形成する。
【００２８】
図１の例では、スパッタリング装置１は仕切部材（以下、「チムニー１３０」と呼ぶ）をさらに含む。チムニー１３０はチャンバー１００内において、プラズマ処理部２０の周囲を取り囲むように配置され、搬送経路Ｌ側（図１では＋Ｚ側）に開口部を有する。この開口部は搬送経路Ｌの一部とＺ方向において対向する。以下では、チムニー１３０の内部空間、および、チムニー１３０の開口部と搬送経路Ｌとの間の空間を、処理空間Ｖと規定する。
【００２９】
図１の例では、スパッタリング装置１は温調部１２０をさらに含む。温調部１２０は例えば板状の形状を有しており、搬送経路Ｌに対してプラズマ処理部２０とは反対側（図１では＋Ｚ側）に設けられる。温調部１２０は、チャンバー１００内を搬送される基材９１を加熱または冷却する。一例として、温調部１２０はセラミックヒータなどのヒータを内蔵する。また別の例として、温調部１２０は水冷ジャケットを含む。
【００３０】
図１の例では、チャンバー１００のうち搬送経路Ｌの−Ｘ側の端部には、基材９１をチャンバー１００内に搬入するためのゲート１６０が設けられている。他方、チャンバー１００のうち搬送経路Ｌの＋Ｘ側の端部には、基材９１をチャンバー１００外に搬出するためのゲート１６１が設けられている。また、チャンバー１００のＸ方向両端部は、ロードロックチャンバーまたはアンロードロックチャンバーなどの他のチャンバーの開口部が気密を保った形態で接続可能に構成される。各ゲート１６０，１６１は、開閉の切替可能に構成される。
【００３１】
図１の例では、チャンバー１００には、高真空排気系１７０が接続されている。この高真空排気系１７０はチャンバー１００の内部空間の気体を所定のプロセス圧（例えば０．５［Ｐａ］）に減圧する。高真空排気系１７０は、例えば、それぞれ図示省略の真空ポンプと、排気配管と、排気バルブとを含む。排気配管は、一端が真空ポンプに接続され、他端がチャンバー１００の内部空間に連通接続される。また、排気バルブは、排気配管の経路途中に設けられる。排気バルブは、具体的には、排気配管を流れるガスの流量を自動調整できるバルブである。この構成において、真空ポンプが作動された状態で、排気バルブが開放されると、チャンバー１００の内部空間が排気される。高真空排気系１７０は、処理空間Ｖ内の圧力を所定のプロセス圧に保つように制御部２００により制御される。
【００３２】
＜保持搬送機構＞
図１の例では、保持搬送機構１０は、一対の搬送ローラ１１と、駆動部（図示省略）とを含む。一対の搬送ローラ１１はＹ方向における搬送経路Ｌの両側にそれぞれ設けられ、Ｙ方向において互いに対向する。なお、図１では、一対の搬送ローラ１１のうち図示手前側（−Ｙ側）に位置するローラが描かれている。搬送ローラ１１は、搬送経路Ｌの延在方向に沿って複数対設けられる。駆動部は、搬送ローラ１１を同期させて回転駆動する。駆動部は制御部２００によって制御される。
【００３３】
基材９１は、例えば、キャリア９０の下面に設けられた図示省略の爪状部材などによってキャリア９０の下に着脱可能に保持される。つまり、保持搬送機構１０は成膜対象面がターゲット３２側（ここでは−Ｚ側）に向くように、基材９１を保持する。キャリア９０は、板状のトレーなどによって構成されている。なお、キャリア９０における基材９１の保持態様は、本実施形態の態様の他にも種々の態様を採用しうる。例えば、上下方向に貫通する中空部を有する板状トレーの該中空部に基材９１を嵌めこむことによって、基材９１の下面を成膜可能な状態で該基材９１を保持する態様であっても構わない。
【００３４】
基材９１が配設されたキャリア９０がゲート１６０を介してチャンバー１００内に搬入されると、各搬送ローラ１１が該キャリア９０の端縁（±Ｙ側の端縁）付近に下方から当接する。そして、駆動部（図示省略）によって各搬送ローラ１１が同期回転されることによって、キャリア９０およびキャリア９０に保持される基材９１が搬送経路Ｌに沿って搬送される。本実施形態では、各搬送ローラ１１が時計回りおよび反時計回りの双方に回転可能であり、キャリア９０およびキャリア９０に保持される基材９１が双方向（±Ｘ方向）に搬送される態様について説明する。搬送経路Ｌは、プラズマ処理部２０に対向した被成膜箇所Ｐを含む。具体的には、被成膜箇所Ｐはチムニー１３０の開口部と対向する箇所である。このため、保持搬送機構１０によって搬送される基材９１が被成膜箇所Ｐを通過する期間中は基材９１の成膜対象面への成膜処理が行われ、基材９１が被成膜箇所Ｐを通過しない期間中は基材９１の成膜対象面への成膜処理が行われない。
【００３５】
＜ガス供給部＞
ガス供給部５００は処理空間Ｖ内にガスを供給する。より具体的には、ガス供給部５００は、反応性ガス供給部５１０と、スパッターガス供給部５２０とを含む。反応性ガス供給部５１０は反応性ガスを処理空間Ｖ内に供給する。スパッターガス供給部５２０はスパッターガスを処理空間Ｖ内に供給する。ガス供給部５００がスパッターガスおよび反応性ガスを供給することで、処理空間Ｖ内には、スパッターガスと反応性ガスとの混合雰囲気が形成される。
【００３６】
図２は、プラズマ処理部２０およびその周辺の一例を概略的に示す図である。図２の例では、誘導結合アンテナ１５１が設けられているものの、スパッタリング装置１は必ずしも誘導結合アンテナ１５１を含んでいる必要はない。誘導結合アンテナ１５１については後に詳述する。
【００３７】
図１も参照して、反応性ガス供給部５１０は、反応性ガスの供給源である反応性ガス供給源５１１と、配管６１２とを含む。配管６１２は、一端が反応性ガス供給源５１１と接続され、他端が複数に分岐して、各分岐端が、処理空間Ｖと連通するノズル６１４に接続される。図示の例では、２つのノズル６１４はチムニー１３０よりも＋Ｚ側に位置している。具体的には、２つのノズル６１４は搬送経路Ｌとチムニー１３０との間の高さ位置に設けられている。
【００３８】
２つのノズル６１４はＸ方向において、チムニー１３０の開口部に対して互いに反対側に設けられている。図示の例では、平面視において（つまりＺ方向に沿って見て）、２つのノズル６１４はチムニー１３０の開口部とは重ならないように設けられる。ノズル６１４はＹ方向に延在するバーノズルであってもよい。２つのノズル６１４の互いに対向する面には、例えば、Ｙ方向に間隔を空けて並ぶ複数の吐出口が形成される。２つのノズル６１４は各吐出口からチムニー１３０の開口部側に向かってＸ方向に沿って反応性ガスを吐出する。吐出された反応性ガスは処理空間Ｖ内において広がる。
【００３９】
配管６１２の経路途中には、バルブ６１３が設けられる。バルブ６１３は、制御部２００の制御下で処理空間Ｖに供給される反応性ガスの量を調整する。バルブ６１３は、配管を流れるガスの流量を自動調整できるバルブであることが好ましく、具体的には、例えば、マスフローコントローラ等を含んでいることが好ましい。
【００４０】
スパッターガス供給部５２０は、スパッターガスの供給源であるスパッターガス供給源５２１と、配管５２２とを含む。配管５２２は、一端がスパッターガス供給源５２１と接続され、他端が複数に分岐して、各分岐端が、処理空間Ｖに設けられたノズル５２４に接続される。図示の例では、２つのノズル５２４はチムニー１３０の内部空間のうち＋Ｚ側の空間に位置している。具体的な一例として、２つのノズル５２４はチムニー１３０の天井面と回転カソード３０の上端との間の高さ位置に設けられる。
【００４１】
２つのノズル５２４はＸ方向において、チムニー１３０の開口部に対して互いに反対側に設けられている。図示の例では、平面視において、ノズル５２４はチムニー１３０の開口部とは重ならないように設けられる。ノズル５２４はＹ方向に延在するバーノズルであってもよい。２つのノズル５２４の互いに対向する面には、例えば、Ｙ方向に間隔を空けて並ぶ複数の吐出口が形成される。２つのノズル５２４は各吐出口からチムニー１３０の開口部側に向かってＸ方向に沿ってスパッターガスを吐出する。吐出されたスパッターガスは処理空間Ｖ内において広がる。
【００４２】
配管５２２の経路途中には、バルブ５２３が設けられる。バルブ５２３は、制御部２００の制御下で処理空間Ｖに供給されるスパッターガスの量を調整する。バルブ５２３は、配管を流れるガスの流量を自動調整できるバルブであることが好ましく、具体的には、例えば、マスフローコントローラ等を含んでいることが好ましい。
【００４３】
搬送経路Ｌの上流側の各ノズル５２４よりも−Ｚ側には、光ファイバーのプローブ１４０が設けられる。また、プローブ１４０に入射するプラズマ発光の分光強度を測定可能な各分光器１８０が設けられている。分光器１８０は、プラズマ発光分光をモニタするセンサである。各分光器１８０は制御部２００と電気的に接続されており、分光器１８０の測定値は制御部２００に出力される。制御部２００は、分光器１８０の出力に基づいて、プラズマエミッションモニター（ＰＥＭ）法によりバルブ５２３を制御することで、スパッターガス供給部５２０からチャンバー１００内に供給されるスパッターガスの導入量（流量）を制御する。バルブ５２３は、配管を流れるガスの流量を自動調整できるバルブであることが好ましく、例えば、マスフローコントローラ等を含んでいることが好ましい。
【００４４】
＜制御部＞
スパッタリング装置１の各構成要素は制御部２００と電気的に接続されており、当該各構成要素は制御部２００により制御される。制御部２００は、具体的には、例えば、各種演算処理を行うＣＰＵ（Central Processing Unit）、プログラム等を記憶するＲＯＭ（Read Only Memory）、演算処理の作業領域となるＲＡＭ（Random Access Memory）、プログラムや各種のデータファイルなどを記憶するハードディスク、ＬＡＮ（Local Area Network）等を介したデータ通信機能を有するデータ通信部等がバスラインなどにより互いに接続された、一般的なＦＡ（Factory Automation）コンピュータにより構成される。また、制御部２００は、各種表示を行うディスプレイ、キーボードおよびマウスなどで構成される入力部等と接続されている。スパッタリング装置１においては、制御部２００の制御下で、基材９１に対して定められた処理が実行される。
【００４５】
＜プラズマ処理部＞
プラズマ処理部２０は、回転カソード３０と、回転駆動部１９と、スパッター用電源３１１（スパッター電圧印加部）とを含む。
【００４６】
回転カソード３０は、スパッタリングに用いられる電極として機能する。回転カソード３０は筒状形状を有しており、その中心軸線Ｑ１の周りで回転可能にチムニー１３０内に設けられる。回転カソード３０は、その中心軸線Ｑ１が搬送経路Ｌの延在方向（ここではＸ方向）と交差（例えば直交）するように設けられる。図示の例では、回転カソード３０はその中心軸線Ｑ１がＹ方向に沿うように設けられている。回転駆動部１９は制御部２００によって制御され、回転カソード３０を中心軸線Ｑ１の周りで回転させる。
【００４７】
回転カソード３０は、ベース部材３１と、ターゲット３２とを含む。ベース部材３１は略円筒形状を有しており、その中心軸線Ｑ１がＹ方向に沿うように設けられる。ベース部材３１は導電体である。ターゲット３２も略円筒形状を有しており、ベース部材３１の外周を被覆する。ターゲット３２の外周面は処理空間Ｖ内で露出している。ターゲット３２に用いられる材料としては、例えば、アルミニウム（Ａｌ）、シリコン（Ｓｉ）、スズ（Ｓｎ）、鉛（Ｐｂ）、亜鉛（Ｚｎ）、銅（Ｃｕ）、ニッケル（Ｎｉ）またはインジウム（Ｉｎ）等の材料が採用される。ターゲット３２の形成は、例えば、ターゲット材料の粉末を圧縮成型して円筒状に形成し、その後、ベース部材３１を挿入し、ロー付けする手法などによって行われる。なお、ターゲット３２が導電体である場合には、回転カソード３０がベース部材３１を含まずに、ターゲット３２によって構成されてもよい。
【００４８】
図１および図２の例では、磁石ユニット（磁界形成部）４０が設けられている。磁石ユニット４０は回転カソード３０の内部に設けられており、ターゲット３２の外周面の近傍に磁界（磁場）を形成する。磁石ユニット４０は磁極面４０ａ，４０ｂを有しており、この磁極面４０ａ，４０ｂは、回転カソード３０の内周面のうち周方向における一部の領域と対面している。図示の例では、磁石ユニット４０は、磁極面４０ａ，４０ｂを搬送経路Ｌ側（図の例では＋Ｚ側）に向けて設けられているので、磁極面４０ａ，４０ｂは回転カソード３０の内周面のうち搬送経路Ｌ側の領域と対面する。この磁石ユニット４０は、ターゲット３２の外周面のうち、当該領域の付近に磁界を形成する。
【００４９】
回転カソード３０は磁石ユニット４０に対して相対的に回転可能に設けられる。回転カソード３０が磁石ユニット４０に対して回転することにより、磁界はターゲット３２の外周面を相対的に周回する。つまり、磁界はターゲット３２の全周に作用する。
【００５０】
ベース部材３１および磁石ユニット４０は、併せてマグネトロンカソード（円筒状マグネトロンカソード）とも称される。ベース部材３１が設けられない場合には、ターゲット３２および磁石ユニット４０がマグネトロンカソードを構成することとなる。
【００５１】
スパッター用電源３１１は、回転カソード３０にスパッター電圧を印加する。スパッター用電源３１１は例えばスイッチング電源回路（不図示）を含んでいる。このスイッチング電源回路は例えば定電圧型のスイッチング電源回路であり、スパッター電圧を回転カソード３０に出力する。スパッター用電源３１１はスイッチング電源回路を制御することにより、パルス状のスパッター電圧を出力することができる。スパッター用電源３１１はこのパルスのデューティを制御することにより、スパッター電圧を制御することができる。デューティとは、パルスの１周期に対するパルス幅の比である。
【００５２】
スパッター電圧が回転カソード３０に印加されると、回転カソード３０の外周面の近傍、特に磁石ユニット４０による磁界において、プラズマが生じる。そして、このプラズマ中のイオンなどの高エネルギー体がターゲット３２に衝突することにより、ターゲット３２からターゲット粒子が飛び出す（いわゆるスパッタリング）。このターゲット粒子は反応性ガスと反応し、その結果、反応生成物の膜が基材９１の−Ｚ側の表面（成膜対象面）上に形成される。
【００５３】
回転カソード３０が磁石ユニット４０に対して相対的に回転することにより、磁界はターゲット３２の外周面を相対的に周回するので、ターゲット３２の外周面のうち全周に亘ってスパッタリングが行われることとなる。よって、ターゲット３２を効率的に活用することができる。
【００５４】
プラズマ処理部２０は、一対のシール軸受９と、円筒形状の支持棒２とをさらに含んでいる。一方のシール軸受９は回転カソード３０の長手方向（Ｙ方向）の一端に設けられ、他方のシール軸受９は回転カソード３０の他端に設けられている。シール軸受９の各々は、チャンバー１００の底板の上面から立設された台部と、台部の上部に設けられた略円筒状の円筒部とを含む。
【００５５】
支持棒２は一対のシール軸受９の円筒部に軸受されている。支持棒２は中心軸線Ｑ１に沿って回転カソード３０を貫通し、回転カソード３０の外に延出している。この支持棒２のうち回転カソード３０から延出された部分は、所定の台座等などの固定部材によってチャンバー１００の例えば底板に固定される。
【００５６】
図示の例では、磁石ユニット４０は、ヨーク４１（支持板）と、複数の磁石４３とを含む。ヨーク４１は磁性鋼などの磁性材料により形成される。複数の磁石４３は中央磁石４３ａおよび周辺磁石４３ｂを含み、ヨーク４１上に設けられている。
【００５７】
ヨーク４１は例えば平板状の部材であり、回転カソード３０の内周面に対向して回転カソード３０の長手方向（Ｙ方向）に延在している。回転カソード３０の内周面に対向するヨーク４１の主面（表面）上には、中央磁石４３ａおよび周辺磁石４３ｂが立設されている。中央磁石４３ａはヨーク４１の長手方向に延在し、ヨーク４１の長手方向に沿った中心線上に配置されている。周辺磁石４３ｂはヨーク４１の表面の外縁部において、中央磁石４３ａの周囲を囲む環状（無端状）に設けられている。中央磁石４３ａおよび周辺磁石４３ｂは、例えば、ネオジム磁石などの永久磁石である。
【００５８】
中央磁石４３ａおよび周辺磁石４３ｂの、それぞれのターゲット３２側の磁極面４０ａ，４０ｂの極性は、互いに異なっている。例えば、中央磁石４３ａの磁極面４０ａの極性はＮ極であり、周辺磁石４３ｂの磁極面４０ｂの極性はＳ極である。
【００５９】
ヨーク４１の他方の主面（裏面）には、固定部材４７の一端が接合されている。固定部材４７の他端は、支持棒２に接合されている。これにより、磁石ユニット４０は支持棒２に連結される。
【００６０】
回転カソード３０は、ベース部材３１の両端において、例えば、一対のシール軸受９により支持棒２と共通の中心軸線Ｑ１を中心に回転可能に支持されている。これにより、回転カソード３０の内部空間と、処理空間Ｖとは互いに遮断されている。
【００６１】
一方のシール軸受９の台部には、モータと、モータの回転を伝達するギア（それぞれ図示省略）とを含む回転駆動部１９が設けられている。また、回転カソード３０には、回転駆動部１９のギアと噛み合うギア（図示省略）が設けられている。
【００６２】
回転駆動部１９（回転部）は、モータの回転によって中心軸線Ｑ１を中心に回転カソード３０を回転させる。回転カソード３０の回転速度は例えば１０〜２０回転／分に設定され、成膜処理の期間中は上記した回転速度で定速回転される。また、回転カソード３０は、シール軸受９および支持棒２を介して内部に冷却水を循環させるなどして、適宜、冷却されている。回転カソード３０は例えば図２において時計回りに回転する。
【００６３】
スパッター用電源３１１に接続される電線は処理空間Ｖに導入されて、回転カソード３０のシール軸受９内に導かれている。電線の先端には、回転カソード３０のベース部材３１と電気的に接続するブラシが設けられている。スパッター用電源３１１は、このブラシを介してベース部材３１に、負電圧を含むスパッター電圧を印加する。スパッター電圧は、別の表現として、ターゲット電圧、カソード印加電圧、またはバイアス電圧とも称される。
【００６４】
ベース部材３１（ひいては、ターゲット３２）にスパッター電圧が印加されることによって、ターゲット３２の外周面の近傍にスパッターガスのプラズマ（マグネトロンプラズマ）が生成され、特に磁石ユニット４０が形成する磁界において、高密度なスパッターガスのプラズマが閉じ込められる。言い換えれば、スパッター用電源３１１は、マグネトロンカソードが形成する磁界によって処理空間Ｖにマグネトロンプラズマが発生するように、ターゲット３２に負電圧を含むスパッター電圧を印加する。
【００６５】
＜スパッタリング装置１の動作＞
次にスパッタリング装置１の動作の一例について概説する。まず、スパッタリング装置１のゲート１６０を介して基材９１が搬入される。制御部２００は保持搬送機構１０を制御して、この基材９１をチムニー１３０の開口部と対向する位置に搬送させる。制御部２００は保持搬送機構１０を制御して、基材９１をＸ方向において往復移動させてもよい。
【００６６】
次に、制御部２００はガス供給部５００を制御して、スパッターガスおよび反応性ガスを処理空間Ｖに供給させつつ、スパッター用電源３１１を制御して、スパッター電圧を回転カソード３０に印加させる。これにより、高密度のスパッターガスのプラズマが生成され、当該プラズマがターゲット３２に作用してターゲット３２からターゲット粒子が飛び出す。ターゲット粒子は反応性ガスと反応しつつ、基材９１の成膜対象面に堆積し、薄膜が形成される。
【００６７】
なお、保持搬送機構１０は成膜処理中において必ずしも基材９１を往復移動させる必要はなく、例えば基材９１を−Ｘ側から＋Ｘ側に一方向に移動させてもよい。あるいは、保持搬送機構１０は成膜処理中において基材９１を静止させてもよい。
【００６８】
＜スパッター電圧＞
図３は、成膜レートと反応性ガスの割合との関係の一例を示すグラフである。図３では、ターゲット３２としてアルミニウムを採用し、スパッターガスおよび反応性ガスとしてそれぞれアルゴンガスおよび酸素ガスを採用したときの実験結果が示されている。この実験においては、基材９１の成膜対象面には、酸化アルミニウム膜が形成される。
【００６９】
図３では、スパッター電圧が低い場合の当該関係の一例が点Ｐ１によって示されており、スパッター電圧が高い場合の当該関係の一例が点Ｐ２によって示されている。具体的には、点Ｐ１はスパッター電圧が２８０［Ｖ］であるときの当該関係を示しており、点Ｐ２は、スパッター電圧が３４０［Ｖ］であるときの当該関係を示している。
【００７０】
ここでは、反応性ガスの割合として、スパッターガス（ここではアルゴンガス）の流量に対する反応性ガス（ここでは酸素ガス）の流量の割合を採用している。スパッターガスおよび反応性ガスは処理空間Ｖに充填されるので、当該割合は実質的に反応性ガスの濃度（体積分率）を示しているといえる。あるいは、当該割合は反応性ガスの分圧（％）を示しているともいえる。成膜レートは、スタティックレート［ｎｍ／ｍｉｎ］とも呼ばれ得る。また、成膜処理中に基板Ｗ１を移動させる場合の成膜レートとして、ダイナミックレート［ｎｍ・ｍ／ｍｉｎ］を採用してもよい。ダイナミックレートＤＲとスタティックレートＳＲは、チムニー１３０の開口部の幅Ｗ（Ｘ方向に沿う幅）を用いて、ＳＲ＝ＤＲ／Ｗの換算式が成立する。
【００７１】
図３の例では、スパッター電圧が低い場合、酸素割合が低い領域（１０数［％］以下の領域）において、成膜レートは酸素割合にあまり依存せずに略一定となる。また図３の例では、酸素割合が１０数［％］を超えると、点Ｐ１がプロットされていない。これは、次に詳述するように、酸素割合が１０数［％］を超えると、基材９１の成膜対象面に薄膜がほとんど形成されなくなり、成膜レートの測定が不可能となるからである。つまり、酸素分圧を増加させて酸素割合が増加すると、ターゲット３２の外周面に形成される酸化膜（酸化アルミニウム膜）の形成速度が高まる。これにより、この酸化膜がスパッターにより除去される割合も増加する。この酸化膜に対するスパッターによって生じる２次電子の放出率は、アルミニウムに対するスパッターによって生じる２次電子の放出率よりも高いので、ターゲット３２の外周面近傍の２次電子の量は増加する。２次電子はアルゴン原子を電離させることができるので、２次電子の量の増加により、ターゲット３２の外周面近傍においてアルゴンイオンの量も増加する。しかしながら、スパッター電圧は低いので、アルゴンイオンによるスパッター率は低く、ターゲット３２の外周面の酸化膜が徐々に増加し、アルゴンイオンはその下層のターゲット３２自体にほとんど作用できなくなる。したがって、基材９１には薄膜がほとんど形成されなくなる。
【００７２】
以上のように、スパッター電圧が低い場合には、酸素割合を１０数［％］以上に増加させることにより、成膜レートは略零に低下する。このような成膜レートと酸素割合との関係は従来から知られている。
【００７３】
一方で、図３に例示するように、スパッター電圧が高い場合には、酸素割合が１０数［％］以下の領域において、点Ｐ２がプロットされていない。これは、高いスパッター電圧によってターゲット３２から飛び出すターゲット粒子が増加するのに対して、酸素割合（酸素分圧）が低いために、基材９１の成膜対象面に形成される薄膜において、アルミニウムが過剰となるからである。つまり、基材９１の成膜対象面において、適切な組成で酸化アルミニウム膜が形成されないので、酸化アルミニウム膜の成膜レートが測定されない。
【００７４】
図３の例では、酸素割合が１０数［％］を超えると、成膜レートが測定されて点Ｐ２としてプロットされている。これは、酸素割合が１０数［％］を超えると、ターゲット３２から飛び出したターゲット粒子が十分な酸素と反応して基材９１の成膜対象面に堆積されて、基材９１の成膜対象面に酸化アルミニウム膜が形成されるからである。
【００７５】
図３に例示するように、酸素割合が１０数［％］以上の領域（以下、増加領域と呼ぶ）において、成膜レートは酸素割合と正の相関関係を有している。より正確に説明すると、成膜レートは、少なくとも酸素割合が１２［％］程度から２５［％］程度までの増加領域において、酸素割合に対して正の相関関係を有している。
【００７６】
また図３の例では、スパッター電圧が高い場合の成膜レートの最小値Ｒｍｉｎは、スパッター電圧が低い場合の成膜レートの最大値Ｒｍａｘよりも高く、具体的には、５倍程度以上である。
【００７７】
スパッター電圧が高い場合の上記関係（点Ｐ２参照）は、従来知られていたスパッター電圧が低い場合の上記関係（点Ｐ１参照）とは一線を画す。スパッター電圧が高い場合の関係（点Ｐ２参照）が成立する理由は、以下のように考察され得る。
【００７８】
上述したように、酸素分圧が増加すると、ターゲット３２の外周面に形成される酸化膜の形成速度が高まり、この酸化膜に対してスパッタリングが行われる割合も増加する。酸化膜（酸化アルミニウム膜）からの２次電子の放出率は、ターゲット３２（アルミニウム）からの２次電子の放出率よりも高いので、酸素分圧が増加するにつれて、ターゲット３２の外周面近傍におけるアルゴンイオンの量は増加する。そして、スパッター電圧が高い場合には、これらのアルゴンイオンがターゲット３２の外周面の酸化膜を突破し、酸化膜およびターゲット３２の両方に作用する。これにより、酸化膜およびターゲット３２の両方から粒子が外部空間に飛び出す。
【００７９】
このようにスパッター電圧が高い場合には、ターゲット３２の酸化膜に対するスパッタリングに起因して増加したアルゴンイオンが、ターゲット３２に作用してターゲット粒子を飛び出させることができる。よって、アルゴンイオンの増加に応じて、ターゲット粒子も増加する。したがって、より多くのターゲット粒子が酸素と反応して基材９１の成膜対象面に堆積し、酸化アルミニウム膜が形成される。これにより、成膜レートを向上することができる。つまり、酸素割合の増大に応じて成膜レートが増大する。言い換えれば、成膜レートは酸素割合に対して正の相関関係を有する。
【００８０】
なお、スパッター電圧が少なくとも３４０［Ｖ］以上であれば、アルゴンイオンはターゲット３２の外周面の酸化膜を突破できるので、成膜レートは所定の増加領域において、酸素割合に対して正の相関関係を有する。
【００８１】
また、酸素割合は処理空間Ｖにおける酸素濃度を示しているといえるので、以下では、酸素割合に替えて酸素濃度を用いて説明することがある。
【００８２】
スパッター用電源３１１は、成膜レートが、少なくとも所定の増加領域において、酸素濃度に対して正の相関関係を有するときの電圧を、スパッター電圧として回転カソード３０に印加する。例えばスパッター用電源３１１は３４０［Ｖ］のスパッター電圧を回転カソード３０に印加する。実用の範囲を考慮して、例えば３４０［Ｖ］以上かつ１０００［Ｖ］以下の範囲内の電圧をスパッター電圧として採用することができる。
【００８３】
また、ガス供給部５００は、酸素濃度が増加領域内の値（図３では、酸素割合が１２［％］程度から２５［％］程度までの値）となるように、スパッターガスおよび反応性ガスを処理空間Ｖ内に供給する。
【００８４】
これにより、高い成膜レートで基材９１の成膜対象面に対して薄膜を形成することができる。より具体的には、従来に比して、成膜レートを５倍程度から１０数倍に向上することができる。
【００８５】
＜ターゲットの材料＞
図４は、成膜レートと反応性ガスの割合との関係の他の一例を示している。図４では、ターゲット３２としてシリコンを採用し、スパッターガスおよび反応性ガスとしてそれぞれアルゴンガスおよび酸素ガスを採用したときの実験結果が示されている。この実験においては、基材９１の成膜対象面には、酸化シリコン膜が形成される。
【００８６】
図４では、スパッター電圧が低い場合の当該関係の一例が点Ｐ３によって示されており、スパッター電圧が高い場合の当該関係の一例が点Ｐ４によって示されている。具体的には、点Ｐ３はスパッター電圧が２００［Ｖ］であるときの当該関係を示しており、点Ｐ４は、スパッター電圧が３００［Ｖ］であるときの当該関係を示している。
【００８７】
図４に例示するように、スパッター電圧が低い場合、成膜レートは酸素濃度に対して正の相関関係を有していない。むしろ図４の点Ｐ３においては、成膜レートは酸素濃度の増加に対して減少する。
【００８８】
一方で、スパッター電圧が高い場合には、成膜レートは酸素濃度に対して正の相関関係を有している。具体的には、成膜レートは、少なくとも酸素割合が１０［％］程度から２０［％］程度までの増加領域において、酸素濃度（酸素割合）に対して正の相関関係を有している。
【００８９】
以上のように、ターゲット３２がシリコンであり、反応性ガスが酸素である場合には、スパッター電圧が３００［Ｖ］以上であれば、成膜レートは所定の増加領域において酸素濃度に対して正の相関関係を有する。よって、スパッター用電源３１１は、成膜レートが少なくとも所定の増加領域において酸素濃度に対して正の相関関係を有するときの電圧を、スパッター電圧として回転カソード３０に印加する。実用の範囲を考慮して、例えば３００［Ｖ］以上かつ１０００［Ｖ］以下の範囲内の電圧をスパッター電圧として採用することができる。
【００９０】
なお、ターゲット３２の材料はアルミニウムおよびシリコンに限定されず、反応性ガスも酸素ガスに限定されない。要するに、２次電子の放出率がターゲット３２自体よりも、ターゲット３２の外周面に形成される化合物（上述の例では酸化膜）の方が大きければよい。例えば反応性ガスとして酸素ガスを採用する場合、アルミニウム、シリコン、スズ、鉛、亜鉛、銅、ニッケルおよびインジウムなどの金属は上記条件を満足する。よって、ターゲット３２として、これらの金属を採用するとよい。
【００９１】
反応性ガスとして、酸素ガス以外のガス（例えば窒素ガス）を採用する場合にも同様である。つまり、反応性ガスによりターゲット３２の外周面に形成される化合物からの２次電子の放出率が、ターゲット３２からの２次電子の放出率よりも高くなる材料を、ターゲット３２の材料として採用すればよい。
【００９２】
＜反応性ガスの流量＞
反応性ガス供給部５１０のノズル６１４から供給される反応性ガスの一部は処理空間Ｖにおいてプラズマ化するので、反応性ガスの流量が増大すると、分光器１８０によって測定された反応性ガスの分光強度が増大する。
【００９３】
そこで、制御部２００は分光器１８０の測定値に基づいてバルブ６１３を制御して、反応性ガスの流量を制御してもよい。つまり、反応性ガス供給部５１０は、分光器１８０によってモニタされるプラズマ発光分光に基づいて、反応性ガスの流量を調整してもよい。これにより、処理空間Ｖ内の反応性ガスの濃度（分圧）をより高い精度で制御することができる。
【００９４】
なお、図２の例では、分光器１８０のプローブ１４０は、スパッターガスを吐出するノズル５２４の吐出口の近傍に設けられている。そこで、分光器１８０のプローブ１４０とは異なるプローブを、ノズル６１４の吐出口の近傍に設けても構わない。言い換えれば、当該プローブを、ノズル５２４の吐出口よりもノズル６１４の吐出口に近い位置に設けてもよい。
【００９５】
＜誘導結合アンテナ＞
図１および図２の例では、プラズマ処理部２０は誘導結合アンテナ１５１をさらに含んでいる。なお、プラズマ処理部２０は誘導結合アンテナ１５１を含まなくてもよい。本実施の形態では、誘導結合アンテナ１５１は本質ではないため、誘導結合アンテナ１５１については簡単な説明に留める。
【００９６】
図１の例では、誘導結合アンテナ１５１は、チャンバー１００の底板のうち、搬送経路Ｌの延在方向において回転カソード３０に対して互いに反対側に、それぞれ、設けられている。各誘導結合アンテナ１５１は、石英（石英硝子）などからなる誘電体の保護部材１５２によって覆われて、チャンバー１００の底板を貫通して設けられる。
【００９７】
また、搬送経路Ｌの延在方向における各誘導結合アンテナ１５１の前後には、反応性ガス供給源５１１から供給される反応性ガスを処理空間Ｖ内に導入する一対のノズル５１４がそれぞれ設けられている。ノズル５１４は配管５１２を介して反応性ガス供給源５１１と接続される。配管５１２の経路途中には、バルブ５１３が設けられる。バルブ５１３は、制御部２００の制御下で処理空間Ｖ（具体的には、誘導結合アンテナ１５１の近傍）に供給される反応性ガスの量を調整する。バルブ５１３は、配管を流れるガスの流量を自動調整できるバルブであることが好ましく、具体的には、例えば、マスフローコントローラ等を含んで構成することが好ましい。
【００９８】
さらに、搬送経路Ｌの延在方向おける各誘導結合アンテナ１５１の前後には、スパッターガス供給源５２１から供給されるスパッターガスを処理空間Ｖ内に導入する一対のノズル６２４がそれぞれ設けられている。ノズル６２４は配管６２２を介してスパッターガス供給源５２１と接続される。配管６２２の経路途中には、バルブ６２３が設けられる。バルブ６２３は、制御部２００の制御下で処理空間Ｖ（具体的には、誘導結合アンテナ１５１の近傍）に供給されるスパッターガスの量を調整する。バルブ６２３は、配管を流れるガスの流量を自動調整できるバルブであることが好ましく、具体的には、例えば、マスフローコントローラ等を含んで構成することが好ましい。
【００９９】
各誘導結合アンテナ１５１は、例えば、金属製のパイプ状導体をＵ字形に曲げたものであり、「Ｕ」の字を上下逆向きにした状態でチャンバー１００の底板を貫通して処理空間Ｖの内部に突設されている。誘導結合アンテナ１５１は、内部に冷却水を循環させるなどして、適宜、冷却されている。
【０１００】
各誘導結合アンテナ１５１の一端は、整合回路１５４を介して、高周波電源１５３に電気的に接続されている。また、各誘導結合アンテナ１５１の他端は接地されている。この構成において、高周波電源１５３から誘導結合アンテナ１５１に高周波電力（例えば、１３．５６ＭＨｚの高周波電力）が供給されると、誘導結合アンテナ１５１の周囲に高周波誘導磁界が生じ、処理空間Ｖにスパッターガスと反応性ガスとのそれぞれの誘導結合プラズマ（Inductively Coupled Plasma：ＩＣＰ）が発生する。上記誘導結合プラズマは、高周波誘導結合プラズマとも称される。
【０１０１】
＜スパッター用電源３１１の制御方法＞
次に、スパッター用電源３１１の制御方法について述べる。スパッター用電源３１１は電力制御を行っても構わない。例えば図３または図４に例示する関係に基づいて、成膜レートが目標レートとなるようにスパッター電圧および酸素濃度を決定すれば、そのときのスパッター用電源３１１の出力電流も、シミュレーションまたは実験により予め分かる。よって、そのときの電力（＝スパッター電圧×出力電流）を電力目標値として算出できる。スパッター用電源３１１は出力電力がこの電力目標値と一致するように電力制御を行う。例えば、スパッター用電源３１１の出力電流を検出する電流センサを設け、電流センサによって検出された出力電流に基づいて、スパッター用電源３１１の出力電圧（スパッター電圧）を制御することによって、出力電力を制御する。スパッター電圧は例えばパルス状の電圧であり、スパッター用電源３１１は例えばパルスのデューティを制御することにより、スパッター電圧を制御することができる。
【０１０２】
また、ガス供給部５００は、決定した酸素濃度を濃度目標値として、酸素ガスの流量を制御する。
【０１０３】
これによれば、スパッタリング装置１は、目標となる成膜レートで基材９１の成膜対象面に薄膜を形成することができる。
【０１０４】
しかしながら、電力制御によれば、次に詳述するように酸素濃度の変動に脆弱となる。例えば酸素濃度は制御範囲内において濃度目標値から変動する。また、ノイズ等により、酸素濃度が制御範囲を超えて濃度目標値からずれる場合もある。例えば酸素濃度が濃度目標値よりも増大すると、ターゲット３２の外周面に形成される酸化膜の形成速度が高まり、酸化膜に対してスパッタリングが行われる割合が増加する。これにより、酸化膜からの２次電子の放出量が増加し、スパッター用電源３１１の出力電流が増加する。出力電流が増加すると、出力電力を一定に制御するためにスパッター電圧は減少する。スパッター電圧が減少すると、ターゲット３２に作用できるアルゴンイオンが低減する。逆に言えば、酸化膜に対してスパッターが行われる割合が高まり、２次電子の放出量がさらに増加する。つまり、出力電流はさらに増加し、スパッター電圧はさらに減少する。この悪循環により、成膜レートは急激に減少する。以上のように、電力制御は酸素濃度の変動に脆弱である。
【０１０５】
そこで、第２の実施の形態では、スパッター用電源３１１は電圧制御によりスパッター電圧を制御する。具体的には、成膜レートが目標レートとなるように、酸素濃度およびスパッター電圧を決定する。この決定したスパッター電圧を電圧目標値に設定する。スパッター用電源３１１はスパッター電圧がこの電圧目標値と一致するように電圧制御を行う。またガス供給部５００は、決定した酸素濃度を濃度目標値として、酸素ガスの流量を制御する。
【０１０６】
この電圧制御によれば、スパッター電圧は電圧目標値に基づいて制御されるので、酸素濃度が変動してスパッター用電源３１１の出力電流が変動しても、スパッター電圧は制御範囲内で略一定に制御される。よって、酸素濃度が変動しても、電力制御における悪循環は生じずに、比較的安定して高い成膜レートで基材９１の成膜対象面に薄膜を形成することができる。
【０１０７】
＜反応性ガスの吐出位置＞
図５は、スパッタリング装置１Ａの構成の一部の一例を概略的に示す図である。スパッタリング装置１Ａは、反応性ガスの吐出位置という点を除いて、スパッタリング装置１と同様の構成を有している。
【０１０８】
スパッタリング装置１Ａにおいては、反応性ガス供給部５１０のノズル６１４はチムニー１３０の内部に位置している。より具体的な一例として、２つのノズル６１４は、チムニー１３０の内部空間のうちチムニー１３０の天井面（基材９１側の内周面）と、回転カソード３０の上端（基材９１側の端部）との間の高さ位置に設けられている。なお、図５の例においても、２つのノズル６１４はＸ方向において、チムニー１３０の開口部に対して互いに反対側に設けられている。
【０１０９】
従来では、ターゲット３２の外周面に化合物（例えば酸化膜）が形成されることを回避するために、反応性ガスを吐出するノズル６１４はチムニー１３０よりも外側に設けられる。これに対して、スパッタリング装置１Ａでは、ノズル６１４をチムニー１３０の内部に設けている。これにより、ノズル６１４はチムニー１３０の外部に設けられる場合に比して、反応性ガスをよりターゲット３２に近い位置で吐出することができる。よって、ターゲット３２の表面における化合物（例えば酸化膜）の生成および除去の割合を増加させることができる。これにより、２次電子の放出量を増加させることができ、ターゲット３２の外周面近傍におけるアルゴンイオンを効率的に増加させることができる。したがって、より効率的に成膜レートを向上することができる。
【０１１０】
図５の例では、スパッターガスを吐出するノズル５２４も、チムニー１３０の天井面と回転カソード３０の上端との間の高さ位置に設けられている。図５の例では、ノズル６１４はノズル５２４よりも＋Ｚ側に位置しているものの、必ずしもこれに限らない。ノズル６１４はノズル５２４よりも−Ｚ側に設けられてもよい。これによれば、ノズル６１４はさらにターゲット３２に近い位置から反応性ガスを吐出することができる。
【０１１１】
図６は、基材９１とノズル６１４と回転カソード３０との位置関係の一例を示す図である。反応性ガス供給部５１０のノズル６１４は、基材９１よりも回転カソード３０に近い位置に設けられてもよい。ここで、ノズル６１４と基材９１との間の距離およびノズル６１４と回転カソード３０との間の距離として、それぞれ距離Ｄ１および距離Ｄ２を導入する。距離Ｄ１は、例えば、基材９１のＸ方向における中心が回転カソード３０の中心とＺ方向において対向する状態で規定される。距離Ｄ１は、ノズル６１４の吐出口と、基材９１の成膜対象面のＸ方向における中心との間の距離である。距離Ｄ２は、ノズル６１４の吐出口と、回転カソード３０のターゲット３２の上端との間の距離である。
【０１１２】
ノズル６１４は距離Ｄ２が距離Ｄ１よりも短くなる位置に設けられる。これによれば、ノズル６１４はターゲット３２により近い位置から反応性ガスを吐出することができる。
【０１１３】
＜変形例＞
以上、スパッタリング装置の実施の形態について説明したが、この実施の形態はその趣旨を逸脱しない限りにおいて上述したもの以外に種々の変更を行うことが可能である。
【０１１４】
例えば上記した成膜処理は、有機ＥＬ（Electro-Luminescence）上のカソード電極の成膜または太陽電池半導体のパッシベーション成膜など種々の成膜処理に適用可能である。
【０１１５】
例えばスパッター用電源３１１はスパッター電圧として、交流電圧を回転カソード３０に印加してもよい。この場合、スパッター電圧の大きさとして、交流電圧の振幅を採用することができる。言い換えれば、スパッター用電源３１１は、成膜レートが少なくとも所定の増加領域において酸素濃度に対して正の相関関係を有するときの振幅の交流電圧を、スパッター電圧として回転カソード３０に印加する。
【０１１６】
また、上述の例では、１つの回転カソード３０が設けられているものの、複数の回転カソード３０が搬送経路Ｌの延在方向において間隔を空けて配列されていてもよい。図７は、スパッタリング装置１Ｂの構成の一部の一例を示している。図７の例では、２つの回転カソード３０がＸ方向において間隔を空けて設けられている。２つの回転カソード３０はスパッター用電源３１１に接続されている。スパッター用電源３１１は、負電圧を含むスパッター電圧を回転カソード３０に印加する。例えば、スパッター用電源３１１が２つの回転カソード３０に相互に逆位相の交流スパッター電圧を印加してもよい。また該態様の他にも、スパッター用電源３１１はスパッター電圧として負電圧を印加してもよく、スパッター電圧として負電圧と正電圧とからなるパルス状の電圧を印加してもよい。スパッター電圧として、パルス電圧または交流電圧を印加する場合には、並設された回転カソード３０に交互にスパッター電圧を印加して反応性スパッタリングを行ってもよい。
【０１１７】
２つ回転カソード３０の内部に設けられる磁石ユニット４０は、その磁極面が互いに対向するように、設けられている。つまり、一方の磁石ユニット４０の磁極面４０ａ，４０ｂがそれぞれ他方の磁石ユニット４０の磁極面４０ａ，４０ｂとＸ方向において対向している。これによれば、２つの回転カソード３０の間の空間に磁界を形成することができ、当該空間において高密度なプラズマを形成することができる。
【０１１８】
図７の例では、誘導結合アンテナ１５１も設けられている。図７の例では、誘導結合アンテナ１５１はＸ方向において２つの回転カソード３０の間に設けられている。
【０１１９】
このスパッタリング装置１Ｂにおいても、スパッター用電源３１１は、成膜レートが、少なくとも所定の増加領域において、反応性ガスの濃度に対して正の相関関係を有するときの電圧を、スパッター電圧として出力する。これにより、高い成膜レートで基材９１の成膜対象面に薄膜を形成することができる。
【０１２０】
以上、実施形態およびその変形例にかかるスパッタリング装置について説明したが、これらは好ましい実施形態の例であって、実施の範囲を限定するものではない。本実施の形態は、その開示の範囲内において、各実施形態の自由な組み合わせ、あるいは各実施形態の任意の構成要素の変形、もしくは各実施形態において任意の構成要素の省略が可能である。
【符号の説明】
【０１２１】
１，１Ａ，１Ｂ  スパッタリング装置
３０  回転カソード
３２  ターゲット
１０  保持部（保持搬送機構）
９１  成膜対象物（基材）
１００  チャンバー
１８０  センサ（分光器）
３１１  電圧印加部（スパッター用電源）
５１０  反応性ガス供給部
５２０  スパッターガス供給部
【図１】
2020180339.tif 000003
【図２】
2020180339.tif 000004
【図３】
2020180339.tif 000005
【図４】
2020180339.tif 000006
【図５】
2020180339.tif 000007
【図６】
2020180339.tif 000008
【図７】
2020180339.tif 000009